(57)【要約】      （修正有）【課題】予め既知の「におい」成分のデータベースを用意し、試料成分のクロマトグラムピークが前記データベース内のデータと同定された場合はその「におい」成分情報を測定者に「におい」が届く前に通知する。これにより、長時間に渡って集中力を維持する測定者の負担軽減と、毒性を有する化合物や腐敗臭を嗅ぐことによる測定者の健康被害や嗅覚麻痺などの問題を軽減できるにおい嗅ぎガスクロマトグラフ質量分析装置を提供する。【解決手段】予め既知のにおい成分を分析して化合物名、マススペクトル、保持指標、においの質および閾値を登録したデータベース１１３を備え、試料のクロマトグラムピークの質量分析結果が該データベース内の成分と同定された場合はその成分に関する情報を測定者に通知する通知機能を設けた。【選択図】図１
0003176327.tif 000002
【実用新案登録請求の範囲】
【請求項１】
においを有する試料中の成分を時間方向に分離・展開するクロマトグラフ手段と、
前記分離・展開された成分の一部を取り出して、順次質量分析する質量分析手段と、
前記成分の残余がにおい嗅ぎポートに届く時間を遅延させる流路抵抗器を備えたトランスファラインと、
を備えたにおい嗅ぎ−ガスクロマトグラフ質量分析装置において、
予め既知のにおい成分を分析して前記クロマトグラフ手段により分離・展開された成分のクロマトグラムピークの質量分析結果及びにおい情報を登録したデータベースを備え、
前記クロマトグラフ手段により分離・展開された成分のクロマトグラムピークの質量分析結果が該データベース内の成分と同定された場合はその成分に関する情報を測定者に通知する通知機構を設けたことを特徴とするにおい嗅ぎ−ガスクロマトグラフ質量分析装置。
【請求項２】
前記通知機構は、文字もしくは記号による表示機構、もしくは音もしくは音声による音響機構であることを特徴とする請求項１記載のにおい嗅ぎ−クロマトグラフ質量分析装置。
【考案の詳細な説明】
【技術分野】
【０００１】
本考案は、試料の構成成分を高精度に分離して、各成分の化学構造と「におい」を同時に分析できるにおい嗅ぎ−ガスクロマトグラフ質量分析装置（以下、におい嗅ぎ−ＧＣ−ＭＳ装置と称する）に関する。
【背景技術】
【０００２】
近年、食品・日用品分野において、さまざまな商品が開発され、「におい」に対する定性分析・定量分析の研究が注目されている。また、環境分析においても、異臭・悪臭分析への需要が高まっている。
【０００３】
従来、「におい」の識別や評価は、実際に人間の嗅覚を用いて行なわれるのが一般的であった。しかしながら、実際に「におい」を嗅ぐ人（パネル）の個人差やその日の体調によって嗅覚が変動することを想定する必要があるため、客観的な結果を精度良く得るには、パネルを一定人数以上確保し、試験場所の環境等にも十分な配慮を必要とする。そのため、手間と時間が膨大なものとなる。また、このような配慮を行なっても、人間の嗅覚は「におい」に順応するという特性を有しているため、常に一定基準で確定的な判断を下すことは困難である。
【０００４】
これに対し、「におい」に関する機器分析として、ガスクロマトグラフ装置（ＧＣ）やガスクロマトグラフ質量分析装置（ＧＣ−ＭＳ）などを用いた成分分析法が知られている。しかしながら、こうした成分分析法では、「におい」を揮発性化学物質として捉えるので、その原因物質を特定するなどの目的には有効であるが、人間の嗅覚による官能値との相関を取るのが難しいなどの問題がある。
【０００５】
前記成分分析法の欠点を補うため、ＧＣ−ＭＳ装置に「におい」嗅ぎのための装置（におい嗅ぎポート）を取り付けて使用するにおい嗅ぎ−ＧＣ−ＭＳ装置が知られている。
【０００６】
図２は従来のにおい嗅ぎ−ＧＣ−ＭＳ装置の構成例を示す。
すなわち、所定の速度で昇温するように制御されたＧＣ２１０のカラムオーブン２０２の内部に分離カラム２０３を設置し、分析試料を試料注入・気化室２０１から分離カラム２０３に向けて導入する。導入された試料は、カラムオーブン２０２の昇温の温度勾配、移動相ガスの流速、そして分離カラムの液相の種類およびサイズ等の複合的な作用により、構成成分ごとに時間方向に分離・展開される。時間方向に分離・展開された成分は、スプリッタ２０５を介して、ＭＳ装置２０６（例えば四重極型質量分析装置）に導入され、分子イオンおよびそのフラグメントイオンの質量電荷比と強度が正確に測定され、成分の定性・定量分析が行なわれる。
【０００７】
分離カラム２０３によって時間方向に分離・展開された成分の一部は、トランスファライン２０８を介してにおい嗅ぎポート２０９にも送られる。におい嗅ぎポート２０９では、測定者は、「におい」が検出されるとレベルスイッチを操作することで「におい」の強度と種類を表現する。
【０００８】
スプリッタ２０５からＭＳ装置２０６およびにおい嗅ぎポート２０９に「におい」成分を効率良く送り出すための補助手段として、メークアップガス発生器２０４から、ヘリウムガスなどの補助ガスがスプリッタ２０５に供給される。
【０００９】
以上の操作を経て、ＧＣ−ＭＳと人間の嗅覚を組み合わせたにおい嗅ぎ−ＧＣ−ＭＳ測定を行なうことにより、「におい」成分の識別と、「におい」強度やその成分の定性・定量情報とを同時に得ることができる。
【００１０】
なお、「におい」分析では測定者の嗅覚に依存するために、ＧＣでの試料の分離・展開はゆっくり行う必要があり、測定時間は３０〜５０分と非常に長い。その間測定者は嗅覚に注意を集中する必要があり、長時間の緊張が求められる。この負担を軽減するため、特許文献１では成分ピークが出現し始めるタイミングで成分が出現する旨を知らせる発明が紹介されている。
【先行技術文献】
【特許文献】
【００１１】
【特許文献１】特開２００８−１７０３３３号公報
【考案の概要】
【考案が解決しようとする課題】
【００１２】
「におい」分析の分析時間は長時間に渡ることは珍しくはない。また、腐敗臭などの刺激臭を持つ試料では嗅覚が麻痺し、「におい」感知の闘値が低い「におい」成分を嗅ぎ逃す問題がある。更に測定試料の中には有害な化合物が含まれ、測定者の健康被害を及ぼす危険性もある。
本考案の目的は、上述した点に鑑み、長時間に渡って集中力を維持しなければならない測定者の負担軽減と健康被害を軽減できるにおい嗅ぎ−ＧＣ−ＭＳ装置を提供することにある。
【課題を解決するための手段】
【００１３】
本考案によるにおい嗅ぎ−ＧＣ−ＭＳ装置は、においを有する試料中の成分を時間方向に分離・展開するクロマトグラフ手段と、該クロマトグラフ手段で分離・展開された成分の一部を取り出して、順次質量分析する質量分析手段と、前記におい成分の残余をにおい嗅ぎポートに届く時間を遅延させる流路抵抗器を備えたトランスファラインと、予め既知のにおい成分を分析して前記クロマトグラフ手段により分離・展開された成分のクロマトグラムピークの質量分析結果及びにおい情報を登録したデータベースとを備えたにおい嗅ぎ−ガスクロマトグラフ質量分析装置において、前記クロマトグラフ手段により分離・展開された成分のクロマトグラムピークの質量分析結果が該データベース内の成分と同定された場合はその成分に関するにおい情報を測定者に通知する通知機構とで構成される。
【００１４】
におい成分はＭＳ装置に送られると共に、流路抵抗を備えたトランスファラインにより時間遅延してにおい嗅ぎポートに届くため、測定者はにおいを嗅ぐ前にいかなるにおいが発生するかを予知できる。
【００１５】
前記通知機構は、文字もしくは記号による表示機構、もしくは音もしくは音声による音響（オーディオ）機構である。
【考案の効果】
【００１６】
予め既知の「におい」成分のデータベースを用意し、試料成分のクロマトグラムピークが前記データベース内のデータと同定された場合はその「におい」成分情報が測定者に「におい」が届く前に通知することができるので、長時間に渡って集中力を維持する測定者の負担軽減と、毒性を有する化合物や腐敗臭を嗅ぐことによる測定者の健康被害や嗅覚麻痺などの問題を軽減できる。
【図面の簡単な説明】
【００１７】
【図１】本考案によるにおい嗅ぎ−ＧＣ−ＭＳ装置の実施例を示す図である。
【図２】従来のにおい嗅ぎ−ＧＣ−ＭＳ装置の例を示す図である。
【考案を実施するための形態】
【００１８】
以下、図面を参照して、本考案の実施の形態を説明する。
【実施例１】
【００１９】
本考案のにおい嗅ぎ−ＧＣ−ＭＳ装置の基本構成を図１に示す。
本考案のにおい嗅ぎ−ＧＣ−ＭＳ装置では、予め既知の「におい」成分を分析して"化合物名"、"マススペクトル"、化合物の保持時間を基準となる物質（ｎ-アルカン）により指標化した"保持指標"、バナナの香り、腐った「におい」などの"「におい」の質"、および「におい」を感知する最小濃度もしくは最小クロマトグラムピーク値の"閾値"などを登録したデータベース１１３をパーソナルコンピュータ（以下、ＰＣと称する）１０７内のメモリに構築する。
【００２０】
所定の速度で昇温するように制御されたＧＣ１１１のカラムオーブン１０２の内部に分離カラム１０３を設置し、分析試料を試料注入・気化室１０１から分離カラム１０３に向けて導入する。導入された試料は、構成成分ごとに時間方向に分離・展開される。
時間方向に分離・展開された成分は、メークアップガス発生器１０４から、ヘリウムガスなどの補助ガスがスプリッタ１０５に供給され、ＭＳ装置１０６（例えば四重極型質量分析装置）に導入され、他はトランスファライン１０８に送られる。
【００２１】
ＭＳ装置１０６に送られた成分はＭＳ解析され、ＰＣ１０７に登録されている前記データベース１１３内の成分と同定された場合は成分情報をＰＣ１０７のモニター１１２に表示する。
前記トランスファライン１０８中の「におい」成分は流路の延長もしくは流路径を細くもしくは両手段を用いて成分の通過を遅延させる流路抵抗器１０９を介してにおい嗅ぎポート１１０に届くため、前記成分情報がモニター表示された後に測定者がその「におい」を嗅ぐことになる。
【００２２】
すなわち操作者が「におい」を嗅ぐ時には、データベースに登録されている「におい」かどうか、もし該当するものであればその成分情報はいかなるものかを認識した上で「におい」を嗅ぐことになるので、データベース内に登録されている刺激臭成分による嗅覚の麻痺による測定ミスや、毒性成分による健康被害を避けることができる。
【実施例２】
【００２３】
実施例１の変形例として、ＰＣのモニター表示は文字表示にとどまらず、記号表示、あるいはＰＣのビープ音や合成音、また合成音声を用いることもできる。
【実施例３】
【００２４】
実施例１の変形例として、におい嗅ぎポート近傍で測定者の視野内にＰＣ１０７と同じ内容を表示するＰＣモニターを別途設けることも可能である。
【符号の説明】
【００２５】
１０１  試料注入・気化室
１０２  カラムオーブン
１０３  分離カラム
１０４  メークアップガス発生器
１０５  スプリッタ
１０６  ＭＳ装置
１０７  パーソナルコンピュータ（ＰＣ）
１０８  トランスファライン
１０９  流路抵抗器
１１０  におい嗅ぎポート
１１１  ＧＣ
１１２  モニター
１１３  データベース
２０１  試料注入・気化室
２０２  カラムオーブン
２０３  分離カラム
２０４  メークアップガス発生器
２０５  スプリッタ
２０６  ＭＳ装置
２０８  トランスファライン
２０９  におい嗅ぎポート
２１０  ＧＣ
【図１】
0003176327.tif 000003
【図２】
0003176327.tif 000004